(57)【特許請求の範囲】
【請求項１】
輻射熱を発生する熱源と、熱源からの輻射熱を反射させる反射板と、室内の空気を室外に排出する換気ファンを有するファンケーシングと、室内に面して壁または天井に設置される暖房装置本体とを備えた暖房装置において、
前記暖房装置本体内に、反射板とファンケーシングとを、反射板がファンケーシングに対して室内側に位置し、かつ、それぞれの少なくとも一部が室内に向かって互いに重なるように配置し、
換気ファンのファンケーシングに室内側からの吸入空気の一部を反射板の周囲に吹き出す開口部を設け、
暖房装置本体には反射板の周囲から室内側に空気を吹き出す吹出口を設けた
ことを特徴とする暖房装置。
【請求項２】
前記反射板を、平面部と、外側に向かって張り出した曲面部とが互いに連続するように形成した
ことを特徴とする請求項１記載の暖房装置。
【発明の詳細な説明】
【０００１】
【発明の属する技術分野】
本発明は、浴室、脱衣室等に設置される換気機能付きの暖房装置に関するものである。
【０００２】
【従来の技術】
換気装置が設けられる浴室、脱衣室、トイレ等の室に暖房装置を設置する場合、換気装置とは全く別個独立に設けているのが現状である。しかし、換気装置及び暖房装置を別個独立に設ける場合、それぞれに取り付け作業を要するのみならず、それぞれに装置の製造コスト及び設置コストがかかるという問題点がある。
【０００３】
上記問題点を解決すべく、室内の暖房を行う暖房部と室内の換気を行う換気部とを備え、室内に面して天井に埋設される暖房装置が提案されている。この暖房装置は、暖房部と換気部が略水平に並設され、暖房部は輻射熱を発する電熱ヒータと、電熱ヒータからの輻射熱を室内方向へ反射する反射板とを有し、換気部は吸気口を介して室内の空気を吸引するとともに、この吸気を排気口を介して室外に排出するシロッコファンを有している。これにより、換気装置及び暖房装置を別個独立に設けた場合に比べ、製造コスト及び設置コストが低減されている。
【０００４】
【発明が解決しようとする課題】
しかしながら、前記暖房部と換気部を併有する暖房装置においても、暖房部と換気部が略水平に並設されているため、暖房装置の水平方向の寸法が大きくなり、装置の製造コストが嵩むという問題点が完全には解決されていない。さらには、水平方向の寸法が大きくなるため、暖房装置を設置するための天井開口部を大きく形成しなければならず、設置コストが嵩むという問題点も完全には解決されていない。
【０００５】
本発明は前記問題点に鑑みてなされたものであり、その目的とするところは、小型化を図って製造コスト及び設置コストを低減した暖房装置を提供することにある。
【０００６】
【課題を解決するための手段】
本発明は前記目的を達成するために、請求項１では、輻射熱を発生する熱源と、熱源からの輻射熱を反射させる反射板と、室内の空気を室外に排出する換気ファンを有するファンケーシングと、室内に面して壁または天井に設置される暖房装置本体とを備えた暖房装置において、前記暖房装置本体内に、反射板とファンケーシングとを、反射板がファンケーシングに対して室内側に位置し、かつ、それぞれの少なくとも一部が室内に向かって互いに重なるように配置し、換気ファンのファンケーシングに室内側からの吸入空気の一部を反射板の周囲に吹き出す開口部を設け、暖房装置本体には反射板の周囲から室内側に空気を吹き出す吹出口を設けている。
【０００７】
これにより、暖房部と換気部を室壁に沿って並設した従来のものに比べて、装置の室壁に沿った方向の寸法を小さくすることができる。従って、暖房装置を設置する室壁の開口部等を小さくすることができる。
【０００８】
また、吸気の一部は暖房部により加熱された後、温風となって室内に吹き出される。従って、輻射熱に加えて温風によっても室内は暖房される。
【０００９】
また、請求項２では、請求項１記載の暖房装置において、前記反射板を、平面部と、外側に向かって張り出した曲面部とを互いに連結して形成している。
【００１０】
これにより、請求項１の作用に加え、反射板の曲面部により室内の所定方向へ輻射熱を反射させることができ、反射する輻射熱に指向性を持たせることができる。
【００１１】
また、反射板を平面部と曲面部とが連続するように構成することで、反射板を小さく形成することができる。例えば、反射板を曲面部のみで形成した場合のように、反射板の曲面部の張り出し寸法が大きくなり暖房装置が大型となることはない。
【００１２】
【発明の実施の形態】
図１及び図７は本発明に係る暖房装置の一実施形態を示すもので、図１及び図２は暖房装置の全体斜視図、図３は暖房装置の概略下面図、図４は換気ファンの斜視図、図５は換気部の横断面をファンケーシングの下方から見た図、図６は暖房部の正面断面図、図７は浴室の概略説明図、図８は暖房装置の概略電気回路図である。
【００１３】
この暖房装置は、図７に示すように、浴室１００  の天井壁右側に設けられた開口部１０１  に、室内に面するよう設置されている。浴室１００  内には、右方下部にバスタブ１０２  が、左方下部に洗い場１０３  が備えられ、即ち、暖房装置のほぼ真下にバスタブ１０２  が位置している。
【００１４】
暖房装置は、図１に示すように、前後に延びる箱状の暖房装置本体１と、本体１内の下方に配置された暖房部２と、暖房部２の上方後側に配置された換気部３とを備えている。
【００１５】
暖房装置本体１は下面の全部及び後面の一部を開放し、下面にはスリット状の枠型カバー４が設けられ、後面の開口は排気口１ａをなしている。また、装置本体１の上面後側から換気部３の一部が上方へ突出している。
【００１６】
暖房部２は、装置本体１の前後方向に延び左右に並設された２つの電熱ヒータ５と、各電熱ヒータ５を上方より覆う反射板６とを有している。各電熱ヒータ５は、本実施形態においては棒状に形成されたカーボンランプヒータであり、正面断面で放射状に輻射熱を放出している。反射板６は、各電熱ヒータ５の左側上方を覆う平面部６ａと、右側上方を覆う曲面部６ｂと、各電熱ヒータ５の前後を覆う側面部６ｃとからなり、曲面部６ｂは浴室１００  内の所定方向へ各電熱ヒータ５からの輻射熱を反射するよう形成されている。平面部６ａ及び曲面部６ｂは各電熱ヒータ５毎に形成され、互い違いに連続して設けられる。側面部６ｃは各電熱ヒータ５の前後にそれぞれ１つ、計２つ設けられる。図６に示すように、各平面部６ａは正面断面で右上がりの直線状に形成され、各曲面部６ｂは正面断面で右下がりの曲線状に形成されている。この各曲面部６ｂの曲線は、対応する電熱ヒータ５に対して凹で、この電熱ヒータ５を略焦点とした双曲線の一部をなしている。なお、２つの各曲面部６ｂは好ましくはその曲面形状を僅かに異ならせている。本実施形態においては、左側の電熱ヒータ５は右側のものに比べて僅かに高く配置され、左側の電熱ヒータ５に対応する左側の曲面部６ｂは、右側のものに比べて下側を臨むよう僅かに凹部が右側のものより傾いて配置されている。これにより、図７に示すように、左側の曲面部６ｂで反射した輻射熱は洗い場１０３  の下方へ向かって、右側の曲面部６ｂで反射した輻射熱は洗い場１０３  の上方へ向かってそれぞれ放射される。
【００１７】
装置本体１にはその下方に枠型カバー４が固定配置されている（図１参照）。図３をも参照し、反射板６の左側平面部６ａの左端と枠型カバー４の左側部、反射板６の右側曲面部６ｂの右端と枠型カバー４の右側部、反射板６の前側の側面部６ｃ１  と枠型カバー４の前面部、ならびに反射板６の後側の側面部６ｃ２  と枠型カバー４の後面部は、それぞれ距離を存して配置され、図３に示すように、長方形枠状の通気口４ｃを形成している。しかしながら、反射板６の側面部６ｃ１  ならびに６ｃ２  の両側端部は、装置本体１の左右両側面にそれぞれ当接している。さらに、換気部３を構成するファンケーシング８の底面８ｄの左右両側端も装置本体１の左右両側面にそれぞれ当接している。さらにまた、上記した後側の側面部６ｃ２  の上面とファンケーシング８の底面８ｄとの間には隔板４１が狭持されるとともに、その左右両側端が装置本体１の左右両側面にそれぞれ当接している。これにより、図３に示すように、長方形枠状の通気口４ｃは、前側の吹出口４ａと後側の吸気口４ｂとに分割される。なお、装置本体１の内部で反射板６の上方でファンケーシング８の前方には、図１で示すように、空間Ｓが画成されている。
【００１８】
図１及び図３を参照すると、換気部３が暖房部２の上方後側に配置されている。すなわち、暖房部２と換気部３とは略鉛直方向で投影した時、少なくとも互いの一部が重なり合うように配置されている。換気部３は、図４で示すように、換気ファンとして機能する円筒状のシロッコファン７と、このシロッコファン７を収容する箱状のファンケーシング８とを有している。さらに、ファンケーシング８の上方にはシロッコファン７とシャフト（図示せず）を共有する換気ファンモータ７１が配置されている。ファンケーシング８の前面、後面、ならびに底面８ｄには矩形の切欠８ａ、矩形の切欠８ｂ、ならびに円形の切欠８ｃがそれぞれ形成されている。ここで、切欠８ａは上述した空間Ｓに、切欠８ｂは装置本体１の排気口１ａに、切欠８ｃは吸気口４ｂにそれぞれ臨んでいる。これにより、シロッコファン７の回転によって吸気口４ｂから切欠８ｃを介して吸い込まれた空気は、図５で示すように、切欠８ｂからあるいは切欠８ｂならびに切欠８ａから吹き出される。図１ならびに図３をも参照すれば、切欠８ｂから吹き出た空気は装置本体１の排気口１ａを介して、装置外部へ排出される。一方、切欠８ａから吹き出た空気は空間Ｓへ流入した後、吹出口４ａを介して浴室１００  内に吹き出される。なお、切欠８ａ，８ｂはシロッコファン７の回転中心に関して対称となるように配置されている。
【００１９】
図８を参照し、暖房装置の電気回路について記述する。暖房装置は電源Ｖに接続され、リモコン２００  により運転制御される。リモコン２００  には、運転スイッチ２０１  とモード切替スイッチ２０２  とが備えられており、運転スイッチ２０１  により電源のＯＮ／ＯＦＦが選択され、モード切替スイッチ２０２  により換気モード／暖房モードが選択されるようになっている。さらに、暖房装置にはリレー回路２０３  が備えられており、暖房モードが選択されるとリレー回路２０３  が動作して電熱ヒータ５及びファンモータ７１（すなわち、シロッコファン７）が作動するようになっている。一方、換気モードが選択されるとリレー回路２０３  は動作せずファンモータ７１（すなわち、シロッコファン７）のみが作動するようになっている。なお、暖房モードが選択された時には、ファンモータ７１において低速タップ７１ｂが選択され、換気モードが選択された時には、ファンモータ７１において高速タップ７１ａが選択されるようになっている。これにより、換気モード選択時の方が暖房モード選択時よりファンモータ７１の回転速度すなわちシロッコファン７の回転速度が高くなるようになっている。この結果、換気モードを選択するとシロッコファン７が高い回転速度で作動し、浴室１００  内が充分に換気される。一方、暖房モードを選択するとシロッコファン７が低い回転速度で作動するので、吹出口４ａから吹き出す風に不快な冷気を感じるようなことはない。
【００２０】
以上のように構成された暖房装置において、図８で示すように換気モードが選択されると、ファンモータ７１すなわちシロッコファン７のみが高い回転速度で作動し、浴室１００  内の充分な容量の空気が吸気口４ｂから切欠８ｃを介して吸い込まれ、切欠８ｂを介して装置本体１の排気口１ａから装置外部へ排出される。一方、暖房モードが選択されると、各電熱ヒータ５が作動するとともにファンモータ７１すなわちシロッコファン７が低い回転速度で作動する。これによって、吸気口４ｂから切欠８ｃを介して吸い込まれた浴室１００  内の空気の一部は、切欠８ｃを介して空間Ｓへ流入し、電熱ヒータ５によって加熱された反射板６を冷却する。反射板６を冷却することによって温度上昇した空間Ｓ内の空気は、適度な温風となって吹出口４ａから浴室１００  内に吹き出される。なお、吸気口４ｂから切欠８ａを介して吸い込まれた空気の残りの部分は、換気モード選択時と同じように切欠８ｂを介して装置本体１の排気口１ａから装置外部へ排出される。
【００２１】
このように本実施形態の暖房装置によれば、暖房部２と換気部３とが略鉛直方向、即ち浴室１００  内に向かって少なくとも一部が互いに重なるようにしたので、装置の水平前後方向寸法を小さくすることができ、浴室１００  の天井壁の開口部１０１  を小さくすることができるので設置コストを低減できる。さらに、装置の小型化によって、装置の製造コストを低減することができる。
【００２２】
また、反射板６に双曲線状の曲面部６ｂを形成したので、反射する輻射熱に指向性を持たせることができる。本実施形態においては、洗い場１０３  付近に輻射熱が反射されるようにしたので、洗い場１０３  において心地よい暖房感を得ることができる。
【００２３】
また、反射板６の電熱ヒータ５の上方を平面部６ａと曲面部６ｂとから構成したので、反射板６の上下方向寸法を小さくすることができ、暖房装置の小型化を図ることができる。例えば曲面部６ｂのみで構成した場合のように、曲面部６ｂの凸部が上方に突出して反射板６が大きくなることはない。
【００２４】
また、吸気の一部を温風として浴室１００  内へ吹き出すようにしたので、輻射熱に加えてこの温風によっても浴室１００  内を暖房することができ、効率よく暖房することができる。
【００２５】
尚、前記実施形態においては、浴室１００  に暖房装置を備えたものを示したが、脱衣室、トイレ等のような浴室以外の室に設けてもよい。
【００２６】
また、暖房装置を天井壁に設けたものを示したが、側壁等に設けてもよい。この場合、暖房部と換気部とは、その略室内方水平向への投影の少なくとも一部が互いに重なるよう配置される。
【００２７】
また、平面部６ａと曲面部６ｂとを有する反射板６を示したが、反射板６の上下寸法の増大を無視することが可能な場合は、曲面部６ｂで構成し、反射する輻射熱に更なる指向性を持たせるようにしてもよい。
【００２８】
また、曲面部６ｂの断面を双曲線状に形成したものを示したが、放物線状、楕円状等の他の包絡線状に形成してもよく、二次曲線状、即ち電熱ヒータに対して凹に形成されたものであればどのようなものであってもよい。
【００２９】
また、前記実施形態では電熱ヒータとしてカーボンランプヒータを用いているが、これに限らず、例えばハロゲンランプ等を用いてもよい。さらに、例えば温水パイプ等のように、輻射熱を放出するものであれば他の熱源を使用してもよい。
【００３０】
【発明の効果】
以上説明したように、請求項１の暖房装置によれば、装置の寸法を小さくすることができ、室壁の設置用開口部を小さくすることができるので設置コストを低減できる。更に、装置の小型化によって、装置の製造コストを低減することができる。
【００３１】
また、輻射熱に加えて温風によっても室内を暖房することができ、効率よく暖房することができる。
【００３２】
また、請求項２記載の暖房装置によれば、請求項１の効果に加え、反射板の上下方向寸法を小さくすることができ、暖房装置の更なる小型化を図ることができる。例えば曲面部のみで構成した場合のように、曲面部の張り出し部が上方に突出して反射板が大きくなることはない。
【図面の簡単な説明】
【図１】本発明の一実施形態を示す暖房装置の全体斜視図
【図２】暖房装置の全体斜視図
【図３】暖房装置の下面図
【図４】換気部の斜視図
【図５】換気部の横断面をファンケーシングの下方から見た図
【図６】暖房部の正面断面図
【図７】浴室の概略説明図
【図８】暖房装置の概略電気回路図
【符号の説明】
１…暖房装置本体、２…暖房部、３…換気部、４ａ…吹出口、５…電熱ヒータ、６…反射板、６ａ…平面部、６ｂ…曲面部、７…換気ファン、８ａ…切欠、１００  …浴室。
【図１】
0003595502.tif 000002
【図２】
0003595502.tif 000003
【図３】
0003595502.tif 000004
【図４】
0003595502.tif 000005
【図５】
0003595502.tif 000006
【図６】
0003595502.tif 000007
【図７】
0003595502.tif 000008
【図８】
0003595502.tif 000009